(57)【要約】      （修正有）【課題】より容易に果実を包装し、輸送される果実をより確実に保護する包装材を提供する。【解決手段】果実を包装する包装材１１は、薄膜状に形成され、折り曲げ自在の基材としてのフィルム２１と、果実に加わる力を吸収し分散するゲルを含んでなる緩衝部材としてのクッション部２２−１乃至２２−８とを備える。クッション部２２−１乃至２２−８は、それぞれ、軸Ａ１Ａ１’乃至軸Ｄ１Ｄ１’のいずれかに直交する線の方向の幅より軸Ａ１Ａ１’乃至軸Ｄ１Ｄ１’のいずれかの方向の長さがより長い形状とされる。軸Ａ１Ａ１’乃至軸Ｄ１Ｄ１’が放射状となるようにクッション部２２−１乃至２２−８がフィルム２１に配置されている。【選択図】図２
0003188580.tif 000002
【実用新案登録請求の範囲】
【請求項１】
果実を包装する包装材において、
薄膜状に形成され、折り曲げ自在の基材と、
前記果実に加わる力を吸収し分散するゲルを含んでなる緩衝部材と
を備え、
前記緩衝部材は、所定の軸に直交する線の方向の幅より前記軸の方向の長さがより長い形状とされ、
前記軸が放射状となるように複数の前記緩衝部材が前記基材に配置されている
包装材。
【請求項２】
請求項１に記載の包装材において、
前記緩衝部材は、前記軸を対称軸とする線対称の形状とされている
包装材。
【請求項３】
請求項１に記載の包装材において、
前記緩衝部材は、前記基材の厚さの方向が厚さの方向である平板状の形状とされている
包装材。
【請求項４】
請求項１に記載の包装材において、
隣り合う前記緩衝部材の間隔は、前記軸が放射状となる中心の側においてより狭く、中心から離れるに従ってより広くなる
包装材。
【請求項５】
請求項１に記載の包装材において、
前記緩衝部材は、前記ゲルを囲うフィルムで前記ゲルを保持してなる
包装材。
【請求項６】
請求項１に記載の包装材において、
前記緩衝部材は、折り曲げ自在のフィルムと前記基材とで前記ゲルを挟んで保持してなる
包装材。
【請求項７】
請求項１に記載の包装材において、
前記基材および前記ゲルは、生分解性である
包装材。
【請求項８】
請求項１に記載の包装材において、
前記緩衝部材は、前記軸が放射状となる中心の側に１つの頂点が位置する多角形の形状とされている
包装材。
【請求項９】
請求項８に記載の包装材において、
前記緩衝部材は、前記軸が放射状となる中心の側に１つの頂点が位置する三角形の形状とされている
包装材。
【請求項１０】
請求項１に記載の包装材において、
前記緩衝部材は、台形の形状とされ、
前記軸が放射状となる中心の側において前記緩衝部材の幅がより狭く、中心から離れるに従って前記緩衝部材の幅がより広くなる
包装材。
【請求項１１】
請求項１に記載の包装材において、
前記基材は、透湿性を有する
包装材。
【考案の詳細な説明】
【技術分野】
【０００１】
本考案は包装材に関し、特に、果実の包装に適した包装材に関する。
【背景技術】
【０００２】
収穫された果物は、半球状に凹部が形成された薄いプラスチックや紙製のパックやトレイなどに載せたうえで、箱詰めされて輸送されることが多い。
【０００３】
従来、梨のように「押せ傷」や「擦れ傷」が発生しやすい果実を保護する目的で、主に梱包容器内に入れて用いられる果実用緩衝シートとして、複数個がランダムあるいは位置決めされた状態で配置される果実群の上に載置される緩衝シートであって、該緩衝シートは周囲を除いた領域に、高さは同じであるが溝幅ａである凸条と溝幅ｂ（ただし、ｂ＞ａ）である凹条とが交互に形成されている果実用緩衝シートもある（例えば、特許文献１参照）。
【先行技術文献】
【特許文献】
【０００４】
【特許文献１】特開２００４−６７２０８号公報
【考案の概要】
【考案が解決しようとする課題】
【０００５】
しかしながら、桃などの果肉の柔らかい軟弱果実を輸送しようとする場合、輸送において生じる揺れや衝撃などにより軟弱果実に力が加わって、軟弱果実に押し傷が生じてしまう（いわゆる、荷痛みが生じてしまう）。特に、飛行機を利用して輸送する場合、加速度20G以上の強い衝撃が発生することもあり、押し傷が生じやすい。
【０００６】
円柱状の突起の中に空気を閉じ込め、その空気圧で緩衝材の機能を実現している気泡緩衝材（いわゆるプチプチ（登録商標）など）の使用も考えられるが、点状に果実に接するために局所的な傷が生じる恐れがある。また、飛行機を利用する場合、気圧が変化するので、気泡緩衝材では、吸収できる衝撃の範囲（力の大きさの範囲）が変化してしまい、これにより、傷が生じる恐れがある。
【０００７】
平板状に形成されたゲルを用いて果実を包装することも考えられるが、平板状のゲルで球状の果実を包んだ場合、ゲルの面を果実の表面に均一に密着させることは困難であり、逆に、接した部分に局所的に力がかかり傷が生じてしまう恐れがある。
【０００８】
本考案は、このような状況に鑑みてなされたものであり、より容易に果実を包装し、輸送される果実をより確実に保護することができるようにするものである。
【課題を解決するための手段】
【０００９】
本考案の一側面は、果実を包装する包装材であって、薄膜状に形成され、折り曲げ自在の基材と、果実に加わる力を吸収し分散するゲルを含んでなる緩衝部材とを備え、緩衝部材は、所定の軸に直交する線の方向の幅より軸の方向の長さがより長い形状とされ、軸が放射状となるように複数の緩衝部材が基材に配置されている包装材である。
【００１０】
本考案の一側面においては、果実に加わる力を吸収し分散するゲルを含んでなる緩衝部材が、所定の軸に直交する線の方向の幅より軸の方向の長さがより長い形状とされ、複数の緩衝部材が、軸が放射状となるように基材に配置されているので、緩衝部材の配置の放射状の中心を下にして、包装材で果実を包むと、緩衝部材を果実の表面に容易に沿わせることができ、また、ゲルを含んでなる緩衝部材が、果実の表面の全方位に配置されることになり、果実にいずれの方向から加わった力を確実に吸収することができる。従って、輸送される果実をより確実に保護することができる。また、緩衝部材が、力を吸収し分散するゲルを含んでなるので、飛行機を利用した輸送において、気圧が変化しても、吸収できる衝撃の大きさの範囲が変化してしまうことはなく、輸送される果実をより確実に保護することができる。
【００１１】
緩衝部材は、軸を対称軸とする線対称の形状とすることができる。この場合、果実に接する緩衝部材の面をより広くすることができ、より強い力をより確実に吸収して、輸送される果実をより確実に保護することができる。
【００１２】
緩衝部材は、基材の厚さの方向が厚さの方向である平板状の形状とすることができる。このようにすることで、果実に接する緩衝部材の面積をより大きくすることができるので、より強い力をより確実に吸収して、輸送される果実をより確実に保護することができる。
【００１３】
隣り合う緩衝部材の間隔を、軸が放射状となる中心の側においてより狭く、中心から離れるに従ってより広くさせることができる。この場合、果実の表面に沿って、包装材を変形させ、複数の緩衝部材が重なることなく果実の表面に配置できるようになる。従って、より容易に果実を包装でき、より強い力をより確実に吸収して、輸送される果実をより確実に保護することができる。
【００１４】
緩衝部材には、ゲルを囲うフィルムでゲルを保持して構成させることができる。このようにすることで、より長い期間安定してゲルを含んでなる緩衝部材の形状を維持することができ、輸送される果実をより確実に保護することができる。
【００１５】
緩衝部材には、折り曲げ自在のフィルムと基材とでゲルを挟んで保持して構成させることができる。この場合、基材によってゲルが保持されるので、基材上に緩衝部材をより確実に固定することができ、また、より簡単に製造することができる。
【００１６】
基材およびゲルを、生分解性とすることができる。この場合、包装材を処理するための施設を特に設けることがなくなる。特に、飛行機を利用して輸送するような遠隔地に処理施設を設ける必要がなく、提供者の経済的な負担を減らすことができる。
【００１７】
緩衝部材は、軸が放射状となる中心の側に１つの頂点が位置する多角形の形状とすることができる。このようにすることで、緩衝部材の配置の放射状の中心を下にして、包装材で果実を包むと、果実に接する緩衝部材の面をより広くすることができ、より強い力をより確実に吸収して、輸送される果実をより確実に保護することができる。
【００１８】
緩衝部材は、軸が放射状となる中心の側に１つの頂点が位置する三角形の形状とすることができる。この場合、さらに、緩衝部材におけるゲルの片寄りをより少なくすることができるので、ゲルに薄い部分が生じてしまうことを防止でき、より強い力をより確実に吸収して、輸送される果実をより確実に保護することができる。
【００１９】
緩衝部材は、台形の形状とし、軸が放射状となる中心の側において緩衝部材の幅がより狭く、中心から離れるに従って緩衝部材の幅がより広くなるようにすることができる。このようにすることで、緩衝部材の配置の放射状の中心を下にして、包装材で果実を包むと、果実に接する緩衝部材の面をより広くすることができ、より強い力をより確実に吸収して、輸送される果実をより確実に保護することができる。
【００２０】
基材は、透湿性を有するものとすることができる。この場合、結露や湿気が溜まることによる果実の傷みを防止することができ、包装される果実をより確実に保護することができる。
【考案の効果】
【００２１】
以上のように、本考案の一側面によれば、より容易に果実を包装し、輸送される果実をより確実に保護することができる。
【図面の簡単な説明】
【００２２】
【図１】包装材の使用の形態の一例を示す図である。
【図２】本考案の一実施の形態の包装材１１の一例の上面図である。
【図３】包装材１１の一例の断面図である。
【図４】本考案の一実施の形態の包装材１１の他の例の上面図である。
【図５】本考案の一実施の形態の包装材１１のさらに他の例の上面図である。
【図６】本考案の一実施の形態の包装材１１のさらに他の例の上面図である。
【図７】本考案の一実施の形態の包装材１１のさらに他の例の上面図である。
【図８】本考案の一実施の形態の包装材１１のさらに他の例の上面図である。
【図９】本考案の一実施の形態の包装材１１のさらに他の例の上面図である。
【考案を実施するための形態】
【００２３】
以下に本考案の実施の形態を説明するが、本考案の構成要件と、考案の詳細な説明に記載の実施の形態との対応関係を例示すると、次のようになる。この記載は、本考案をサポートする実施の形態が、考案の詳細な説明に記載されていることを確認するためのものである。従って、考案の詳細な説明中には記載されているが、本考案の構成要件に対応する実施の形態として、ここには記載されていない実施の形態があったとしても、そのことは、その実施の形態が、その構成要件に対応するものではないことを意味するものではない。逆に、実施の形態が構成要件に対応するものとしてここに記載されていたとしても、そのことは、その実施の形態が、その構成要件以外の構成要件には対応しないものであることを意味するものでもない。
【００２４】
本考案の一側面は、果実を包装する包装材（例えば、図２の包装材１１）であって、薄膜状に形成され、折り曲げ自在の基材（例えば、図２のフィルム２１）と、果実に加わる力を吸収し分散するゲルを含んでなる緩衝部材（例えば、図２のクッション部２２−１乃至２２−８）とを備え、緩衝部材は、所定の軸に直交する線の方向の幅より軸の方向の長さがより長い形状とされ、軸が放射状となるように複数の緩衝部材が基材に配置されている包装材である。
【００２５】
以下、本考案の一実施の形態の包装材を図１乃至図９を参照して説明する。図１は、包装材の使用の形態の一例を示す図である。
【００２６】
包装材１１は、果実１２を包装する。果実１２は、桃、苺、無花果、またはマンゴーなどの軟弱果実とすることができる。軟弱果実である果実１２の表面は柔らかく、力が加えられると、押し傷が生じて、傷んでしまう。包装材１１は、果実１２を包装することで、果実１２に加わる力を吸収し分散させて、押し傷が生じることを防止することができる。例えば、包装材１１によって、果実１２を包装することで、自動車や船、飛行機またはコンベアなどにより輸送する場合に、押し傷が生じることを防止することができる。包装材１１の全体は、果実１２を包装できるように、折り曲げ自在に柔軟に形成されている。包装材１１は、少なくとも果実１２の下半分を包装できる大きさとされている。
【００２７】
パック１３は、薄いプラスチックや紙などからなる。パック１３には、半球状の凹部が複数形成されている。包装材１１によって包装された果実１２のそれぞれは、パック１３の凹部のそれぞれに載置される。なお、包装材１１を敷物として使用し、予めパック１３の凹部のそれぞれに配置して、そのうえで果実１２を載置するようにしてもよい。
【００２８】
図２は、本考案の一実施の形態の包装材１１の一例の上面図である。図３は、図２中の切断面αα’における包装材１１の一例の断面図である。
【００２９】
包装材１１は、フィルム２１およびクッション部２２−１乃至２２−８からなる。フィルム２１は、基材の一例であり、折り曲げ自在で柔軟な円形の薄膜である。フィルム２１は、ポリ乳酸、ポリカプロラクトン、ポリヒドロキシアルカノエート、ポリグリコール酸、変性ポリビニルアルコール、カゼイン、若しくは変性澱粉などの生物資源由来のバイオプラスチックまたはPET（polyethylene terephthalate）共重合体などの石油由来の生分解性の樹脂の薄膜から形成されている。
【００３０】
また、フィルム２１は、素材そのものが透湿性を有するものを用いるか、または微小な穴が設けられることにより透湿性を有するようにすることができる。フィルム２１を透湿性にすることで、結露や湿気が溜まることによる果実１２の傷みを防止することができ、包装される果実１２をより確実に保護することができる。
【００３１】
クッション部２２−１乃至２２−８は、それぞれ、緩衝部材の一例であり、フィルム２１に配置されている。図３に示されるように、クッション部２２−１乃至２２−８は、それぞれ、果実１２に加わる力を吸収し分散するゲル（gel）３１を含んでなる。クッション部２２−１乃至２２−８は、それぞれ、柔軟で折り曲げ自在のフィルムとフィルム２１とでゲル３１を挟んで保持してなる。この場合、フィルム２１によってもゲル３１が保持されるので、フィルム２１上にクッション部２２−１乃至２２−８をより確実に固定することができ、また、より簡単に製造することができる。
【００３２】
以下、クッション部２２−１乃至２２−８が、それぞれ、折り曲げ自在のフィルムとフィルム２１とでゲル３１を挟んで保持してなる形態を例に説明する。なお、クッション部２２−１乃至２２−８は、それぞれ、流動性の高いゲル３１全体をバッグ状に囲って保持するようにしても、流動性の低いゲル３１の一部分を囲って保持するようにしてもよい。すなわち、クッション部２２−１乃至２２−８は、それぞれ、ゲル３１を囲うフィルムでゲル３１を保持してなるようにしてもよい。この場合、より長い期間安定してゲル３１を含んでなるクッション部２２−１乃至２２−８の形状を維持することができ、輸送される果実１２をより確実に保護することができる。なお、例えば、クッション部２２−１乃至２２−８は、フィルム２１に熱融着や接着することにより固定することができる。
【００３３】
ゲル３１は、果実１２に加わる力を吸収し分散できればいずれの種類のものであってもよい。例えば、ゲル３１は、軟質のエラストマーで運動エネルギーを吸収する高分子ゲルとすることができる。ゲル３１の硬度は、JIS（Japanese Industrial Standards）硬度タイプEで、５度から３０度とすることができる。なお、ゲル３１は、化学ゲル若しくは物理ゲルのいずれでも良く、または、水を分散媒とするヒドロゲル若しくは有機溶剤を分散媒とするオルガノゲルのいずれの湿潤ゲルであってもよい。また、ゲル３１の素材として、生分解性の素材を採用するのが好ましい。
【００３４】
フィルム２１およびゲル３１を生分解性とすることで、包装材１１を処理するための施設を特に設けることがなくなる。特に、飛行機を利用して輸送するような遠隔地に処理施設を設ける必要がなく、包装材１１の提供者の経済的な負担を減らすことができる。例えば、包装材１１を土にすくと、微生物により分解されるので、包装材１１を処理することができる。
【００３５】
図２に示されるように、クッション部２２−１乃至２２−８は、それぞれ、菱形に形成されている。クッション部２２−１乃至２２−８の形状は、同じである。それぞれ菱形のクッション部２２−１乃至２２−８の長手方向の２つの角が軸Ａ１Ａ１’乃至軸Ｄ１Ｄ１’上に位置するようにクッション部２２−１乃至２２−８は、フィルム２１上に放射状に配置されている。なお、軸Ａ１Ａ１’乃至軸Ｄ１Ｄ１’は、包装材１１に形成されているものではなく、仮想的に考えられる直線である。以下の説明における他の軸も同様である。
【００３６】
また、図２および図３に示されるように、クッション部２２−１乃至２２−８は、それぞれ、フィルム２１の厚さの方向が厚さの方向である平板状の形状とされている。
【００３７】
クッション部２２−１乃至２２−８を平板状の形状とすることで、果実１２に接するクッション部２２−１乃至２２−８の面積をより大きくすることができるので、より強い力をより確実に吸収して、輸送される果実１２をより確実に保護することができる。
【００３８】
クッション部２２−１乃至２２−８の形状をより詳細に説明すると、クッション部２２−１および２２−５は、それぞれ、軸Ａ１Ａ１’に直交する線の方向の幅より軸Ａ１Ａ１’の方向の長さがより長い菱形の形状とされている。クッション部２２−２および２２−６は、それぞれ、軸Ｂ１Ｂ１’に直交する線の方向の幅より軸Ｂ１Ｂ１’の方向の長さがより長い菱形の形状とされている。また、クッション部２２−３および２２−７は、それぞれ、軸Ｃ１Ｃ１’に直交する線の方向の幅より軸Ｃ１Ｃ１’の方向の長さがより長い菱形の形状とされている。さらに、クッション部２２−４および２２−８は、それぞれ、軸Ｄ１Ｄ１’に直交する線の方向の幅より軸Ｄ１Ｄ１’の方向の長さがより長い菱形の形状とされている。
【００３９】
この場合、軸Ａ１Ａ１’と軸Ｂ１Ｂ１’とは、４５度の角度をなすように配置され、軸Ｂ１Ｂ１’と軸Ｃ１Ｃ１’とは、４５度の角度をなすように配置され、軸Ｃ１Ｃ１’と軸Ｄ１Ｄ１’とは、４５度の角度をなすように配置され、軸Ｄ１Ｄ１’と軸Ａ１Ａ１’とは、４５度の角度をなすように配置されている。すなわち、軸Ａ１Ａ１’、軸Ｂ１Ｂ１’、軸Ｃ１Ｃ１’、および軸Ｄ１Ｄ１’は、仮想的な点Ｏを中心として放射状となる。なお、点Ｏは、包装材１１に形成されているものではなく、仮想的に考えられる点である。以下、同様である。
【００４０】
クッション部２２−１および２２−５は、軸Ａ１Ａ１’上に、点Ｏを挟み、点Ｏを対称点として点対象に配置されている。クッション部２２−２および２２−６は、軸Ｂ１Ｂ１’上に、点Ｏを挟み、点Ｏを対称点として点対象に配置されている。クッション部２２−３および２２−７は、軸Ｃ１Ｃ１’上に、点Ｏを挟み、点Ｏを対称点として点対象に配置されている。クッション部２２−４および２２−８は、軸Ｄ１Ｄ１’上に、点Ｏを挟み、点Ｏを対称点として点対象に配置されている。言い換えれば、クッション部２２−１乃至２２−８は、点Ｏを中心に放射状に３６０度を等分する角度で配置されている。
【００４１】
なお、軸Ａ１Ａ１’、軸Ｂ１Ｂ１’、軸Ｃ１Ｃ１’、および軸Ｄ１Ｄ１’は、等角の配置に限定されるものではない。以下、同様である。
【００４２】
このように、クッション部２２−１乃至２２−８は、それぞれ、所定の軸に直交する線の方向の幅より軸の方向の長さがより長い形状とされている。また、軸が放射状となるようにクッション部２２−１乃至２２−８がフィルム２１に配置されている。
【００４３】
このようにすることで、クッション部２２−１乃至２２−８の配置の放射状の中心である点Ｏを下にして、包装材１１で果実１２を包むと、クッション部２２−１乃至２２−８が放射状に配置されているので、クッション部２２−１乃至２２−８を果実１２の表面に容易に沿わせることができ、より容易に果実１２を包装できる。また、ゲル３１を含んでなるクッション部２２−１乃至２２−８が、果実１２の表面の全方位に配置されることになり、果実１２にいずれの方向から加わった力を確実に吸収することができる。従って、輸送される果実１２をより確実に保護することができる。また、クッション部２２−１乃至２２−８が、力を吸収し分散するゲル３１を含んでなるので、飛行機を利用した輸送において、気圧が変化しても、吸収できる衝撃の範囲が変化してしまうことはなく、輸送される果実１２をより確実に保護することができる。
【００４４】
クッション部２２−１乃至２２−８は、それぞれ、軸Ａ１Ａ１’乃至軸Ｄ１Ｄ１’のそれぞれを対称軸とする線対称の形状とされている。従って、果実１２に接するクッション部２２−１乃至２２−８の面をより広くすることができ、より強い力をより確実に吸収して、輸送される果実１２をより確実に保護することができる。
【００４５】
また、クッション部２２−１乃至２２−８は、それぞれ、軸Ａ１Ａ１’乃至軸Ｄ１Ｄ１’が放射状となる中心である点Ｏ側に１つの頂点が位置する多角形の形状とされている。このようにすることで、クッション部２２−１乃至２２−８の配置の放射状の中心である点Ｏを下にして、包装材１１で果実１２を包むと、果実１２に接するクッション部２２−１乃至２２−８の面をより広くすることができ、より強い力をより確実に吸収して、輸送される果実１２をより確実に保護することができる。
【００４６】
さらに、クッション部２２−１とクッション部２２−２との間隔は、点Ｏの側においてより狭く、点Ｏから離れるに従ってより広くなる。クッション部２２−２とクッション部２２−３との間隔は、点Ｏの側においてより狭く、点Ｏから離れるに従ってより広くなる。同様に、クッション部２２−２乃至２２−８およびクッション部２２−１の隣り合うものの間隔は、点Ｏの側においてより狭く、点Ｏから離れるに従ってより広くなる。この場合、果実１２の表面に沿って、包装材１１をより容易に変形させることができ、クッション部２２−１乃至２２−８が重なることなく果実１２の表面に配置できるようになる。従って、より強い力をより確実に吸収して、輸送される果実１２をより確実に保護することができる。
【００４７】
図４は、本考案の一実施の形態の包装材１１の他の例の上面図である。図２に示される場合と同様の部分には同一の符号を付してあり、その説明は省略する。
【００４８】
図４に示される包装材１１は、フィルム２１およびクッション部４１−１乃至４１−８からなる。クッション部４１−１乃至４１−８は、それぞれ、緩衝部材の一例であり、フィルム２１に配置されている。クッション部４１−１乃至４１−８は、それぞれ、果実１２に加わる力を吸収し分散するゲル３１を含んでなる。
【００４９】
図４に示されるように、クッション部４１−１乃至４１−８は、それぞれ、菱形に形成されている。クッション部４１−１乃至４１−８の形状は、同じである。それぞれ菱形のクッション部４１−１乃至４１−８の長手方向の２つの角が軸Ａ２Ａ２’乃至軸Ｄ２Ｄ２’上に位置するようにクッション部４１−１乃至４１−８は、フィルム２１上に放射状に配置されている。すなわち、クッション部４１−１乃至４１−８は、点Ｏを中心に放射状に３６０度を等分する角度で配置されている。クッション部４１−１乃至４１−８は、それぞれ、軸Ａ２Ａ２’乃至軸Ｄ２Ｄ２’のそれぞれを対称軸とする線対称の形状とされている。
【００５０】
また、クッション部４１−１乃至４１−８は、それぞれ、フィルム２１の厚さの方向が厚さの方向である平板状の形状とされている。
【００５１】
菱形に形成されているクッション部４１−１乃至４１−８は、それぞれ、放射状の中心である点Ｏ側の三角形と、点Ｏ側から離れた三角形に区切られている。
【００５２】
さらに、クッション部４１−１乃至４１−８の部分のうち、点Ｏ側の三角形の部分は、点Ｏ側に１つの頂点が位置する三角形が３つ形成されているように区切られている。すなわち、クッション部４１−１の部分のうち、点Ｏ側の三角形の部分には、点Ｏ側に１つの頂点が位置する三角形のクッション部４２−１−１、クッション部４２−１−２、およびクッション部４２−１−３が形成されている。クッション部４１−２の部分のうち、点Ｏ側の三角形の部分には、点Ｏ側に１つの頂点が位置する三角形のクッション部４２−２−１、クッション部４２−２−２、およびクッション部４２−２−３が形成されている。クッション部４１−３の部分のうち、点Ｏ側の三角形の部分には、点Ｏ側に１つの頂点が位置する三角形のクッション部４２−３−１、クッション部４２−３−２、およびクッション部４２−３−３が形成されている。
【００５３】
同様に、クッション部４１−４乃至クッション部４１−８のそれぞれの部分のうち、点Ｏ側の三角形の部分には、点Ｏ側に１つの頂点が位置する三角形のクッション部４２−４−１、クッション部４２−４−２、およびクッション部４２−４−３、クッション部４２−５−１、クッション部４２−５−２、およびクッション部４２−５−３、クッション部４２−６−１、クッション部４２−６−２、およびクッション部４２−６−３、クッション部４２−７−１、クッション部４２−７−２、およびクッション部４２−７−３、並びにクッション部４２−８−１、クッション部４２−８−２、およびクッション部４２−８−３がそれぞれ形成されている。
【００５４】
クッション部４１−１乃至クッション部４１−８の配置の放射状の中心である点Ｏを下にして、包装材１１で果実１２を包んだ場合、三角形の頂点が点Ｏ側にあるので、ゲル３１が重力によって下側に垂れてしまうのを防止できる。すなわち、クッション部４１−１乃至クッション部４１−８におけるゲル３１の片寄りをより少なくすることができるので、ゲル３１に薄い部分が生じてしまうことを防止でき、より強い力をより確実に吸収して、輸送される果実をより確実に保護することができる。
【００５５】
図５は、本考案の一実施の形態の包装材１１のさらに他の例の上面図である。図２に示される場合と同様の部分には同一の符号を付してあり、その説明は省略する。
【００５６】
図５に示される包装材１１は、フィルム２１およびクッション部５１−１乃至５１−８からなる。クッション部５１−１乃至５１−８は、それぞれ、緩衝部材の一例であり、フィルム２１に配置されている。クッション部５１−１乃至５１−８は、それぞれ、果実１２に加わる力を吸収し分散するゲル３１を含んでなる。
【００５７】
図５に示されるように、クッション部５１−１乃至５１−８は、それぞれ、三角形に形成されている。クッション部５１−１乃至５１−８の形状は、同じである。それぞれ三角形のクッション部５１−１乃至５１−８の長辺に挟まれた１つの角が軸Ａ３Ａ３’乃至軸Ｄ３Ｄ３’上であって、点Ｏ側に位置するようにクッション部５１−１乃至５１−８は、フィルム２１上に放射状に配置されている。すなわち、クッション部５１−１乃至５１−８は、点Ｏを中心に放射状に３６０度を等分する角度で配置されている。
【００５８】
クッション部５１−１乃至５１−８は、それぞれ、軸Ａ３Ａ３’乃至軸Ｄ３Ｄ３’のそれぞれを対称軸とする線対称の形状とされている。言い換えれば、それぞれ二等辺三角形に形成されているクッション部５１−１乃至５１−８の頂角が軸Ａ３Ａ３’乃至軸Ｄ３Ｄ３’上であって、点Ｏ側に位置するようにクッション部５１−１乃至５１−８は、フィルム２１上に放射状に配置されている。
【００５９】
また、クッション部５１−１乃至５１−８は、それぞれ、フィルム２１の厚さの方向が厚さの方向である平板状の形状とされている。
【００６０】
クッション部５１−１乃至５１−８の配置の放射状の中心である点Ｏを下にして、包装材１１で果実１２を包んだ場合、三角形の頂点が点Ｏ側にあるので、ゲル３１が重力によって下側に垂れてしまうのを防止できる。すなわち、クッション部５１−１乃至５１−８におけるゲル３１の片寄りをより少なくすることができるので、ゲル３１に薄い部分が生じてしまうことを防止でき、より強い力をより確実に吸収して、輸送される果実をより確実に保護することができる。
【００６１】
図６は、本考案の一実施の形態の包装材１１のさらに他の例の上面図である。図２に示される場合と同様の部分には同一の符号を付してあり、その説明は省略する。
【００６２】
図６に示される包装材１１は、フィルム２１およびクッション部６１−１乃至６１−５からなる。クッション部６１−１乃至６１−５は、それぞれ、緩衝部材の一例であり、フィルム２１に配置されている。クッション部６１−１乃至６１−５は、それぞれ、果実１２に加わる力を吸収し分散するゲル３１を含んでなる。
【００６３】
図６に示されるように、クッション部６１−１乃至６１−５は、それぞれ、いわゆるハート形（猪目の形）に形成されている。クッション部６１−１乃至６１−５の形状は、同じである。それぞれハート形のクッション部６１−１乃至６１−５の尖った先の角と２つの弧状がつながる凹部とが軸Ａ４Ａ４’乃至軸Ｅ４Ｅ４’上に位置し、それぞれハート形のクッション部６１−１乃至６１−５の尖った先の角が点Ｏ側に位置するようにハート形のクッション部６１−１乃至６１−５は、フィルム２１上に放射状に配置されている。すなわち、クッション部６１−１乃至６１−５は、点Ｏを中心に放射状に３６０度を等分する角度で配置されている。クッション部６１−１乃至６１−５は、それぞれ、軸Ａ４Ａ４’乃至軸Ｅ４Ｅ４’のそれぞれを対称軸とする線対称の形状とされている。
【００６４】
また、クッション部６１−１乃至６１−５は、それぞれ、フィルム２１の厚さの方向が厚さの方向である平板状の形状とされている。
【００６５】
クッション部６１−１乃至６１−５の配置の放射状の中心である点Ｏを下にして、包装材１１で果実１２を包んだ場合、ハート形の尖った先が点Ｏ側にあるので、ゲル３１が重力によって下側に垂れてしまうのを防止できる。すなわち、クッション部６１−１乃至６１−５におけるゲル３１の片寄りをより少なくすることができるので、ゲル３１に薄い部分が生じてしまうことを防止でき、より強い力をより確実に吸収して、輸送される果実をより確実に保護することができる。
【００６６】
図７は、本考案の一実施の形態の包装材１１のさらに他の例の上面図である。図２に示される場合と同様の部分には同一の符号を付してあり、その説明は省略する。
【００６７】
図７に示される包装材１１は、フィルム２１、クッション部７１−１乃至７１−８、およびクッション部７２−１乃至７２−８からなる。クッション部７１−１乃至７１−８は、それぞれ、緩衝部材の一例であり、フィルム２１に配置されている。クッション部７２−１乃至７２−８は、それぞれ、フィルム２１に配置されている。クッション部７１−１乃至７１−８およびクッション部７２−１乃至７２−８は、それぞれ、果実１２に加わる力を吸収し分散するゲル３１を含んでなる。
【００６８】
図７に示されるように、クッション部７１−１乃至７１−８は、それぞれ、それぞれ二等辺三角形に形成されている。クッション部７１−１乃至７１−８の形状は、同じである。それぞれ二等辺三角形のクッション部７１−１乃至７１−８の頂角が軸Ａ５Ａ５’乃至軸Ｄ５Ｄ５’上であって、点Ｏ側に位置するようにクッション部７１−１乃至７１−８は、フィルム２１上に放射状に配置されている。すなわち、クッション部７１−１乃至７１−８は、点Ｏを中心に放射状に３６０度を等分する角度で配置されている。クッション部７１−１乃至７１−８は、それぞれ、軸Ａ５Ａ５’乃至軸Ｄ５Ｄ５’のそれぞれを対称軸とする線対称の形状とされている。
【００６９】
クッション部７２−１乃至７２−８は、それぞれ、矩形に形成されている。クッション部７２−１乃至７２−８の形状は、同じである。クッション部７１−１乃至７１−８の底辺側に位置するように矩形のクッション部７２−１乃至７２−８は、フィルム２１上に放射状に配置されている。クッション部７２−１乃至７２−８は、点Ｏを中心に放射状に３６０度を等分する角度で配置されている。クッション部７２−１乃至７２−８の幅であって、軸Ａ５Ａ５’乃至軸Ｄ５Ｄ５’のそれぞれに直交する線の方向の幅は、クッション部７１−１乃至７１−８の底辺の長さとほぼ同じとされている。クッション部７２−１乃至７２−８は、それぞれ、軸Ａ５Ａ５’乃至軸Ｄ５Ｄ５’のそれぞれを対称軸とする線対称の形状とされている。
【００７０】
また、クッション部７１−１乃至７１−８およびクッション部７２−１乃至７２−８は、それぞれ、フィルム２１の厚さの方向が厚さの方向である平板状の形状とされている。
【００７１】
クッション部７１−１乃至７１−８の配置の放射状の中心である点Ｏを下にして、包装材１１で果実１２を包んだ場合、二等辺三角形の頂点が点Ｏ側にあり、また、クッション部７２−１乃至７２−８がクッション部７１−１乃至７１−８とは別に設けられているので、クッション部７１−１乃至７１−８においてゲル３１が重力によって下側に垂れてしまうのを防止できる。すなわち、クッション部７１−１乃至７１−８におけるゲル３１の片寄りをより少なくすることができるので、ゲル３１に薄い部分が生じてしまうことを防止でき、より強い力をより確実に吸収して、輸送される果実をより確実に保護することができる。
【００７２】
図８は、本考案の一実施の形態の包装材１１のさらに他の例の上面図である。図２に示される場合と同様の部分には同一の符号を付してあり、その説明は省略する。
【００７３】
図８に示される包装材１１は、フィルム８１およびクッション部２２−１乃至２２−８からなる。フィルム８１は、基材の一例であり、折り曲げ自在で柔軟な矩形の薄膜である。フィルム８１は、ポリ乳酸、ポリカプロラクトン、ポリヒドロキシアルカノエート、ポリグリコール酸、変性ポリビニルアルコール、カゼイン、若しくは変性澱粉などの生物資源由来のバイオプラスチックまたはPET共重合体などの石油由来の生分解性の樹脂の薄膜から形成されている。
【００７４】
また、フィルム８１は、素材そのものが透湿性を有するものを用いるか、または微小な穴が設けられることにより透湿性を有するようにすることができる。フィルム８１を透湿性にすることで、結露や湿気が溜まることによる果実１２の傷みを防止することができ、包装される果実１２をより確実に保護することができる。
【００７５】
クッション部２２−１乃至２２−８は、それぞれ、緩衝部材の一例であり、フィルム８１に配置されている。クッション部２２−１乃至２２−８は、それぞれ、果実１２に加わる力を吸収し分散するゲル３１を含んでなる。クッション部２２−１乃至２２−８は、それぞれ、柔軟で折り曲げ自在のフィルムとフィルム８１とでゲル３１を挟んで保持してなる。この場合、フィルム８１によってゲル３１が保持されるので、フィルム８１上にクッション部２２−１乃至２２−８をより確実に固定することができ、また、より簡単に製造することができる。
【００７６】
図８に示されるように、それぞれ菱形のクッション部２２−１乃至２２−８の長手方向の２つの角が軸Ａ１Ａ１’乃至軸Ｄ１Ｄ１’上に位置するようにクッション部２２−１乃至２２−８は、フィルム８１上に放射状に配置されている。
【００７７】
図９は、本考案の一実施の形態の包装材１１のさらに他の例の上面図である。図８に示される場合と同様の部分には同一の符号を付してあり、その説明は省略する。
【００７８】
図９に示される包装材１１は、フィルム８１、クッション部９１−１乃至９１−５、およびクッション部９２−１乃至９２−５からなる。クッション部９１−１乃至９１−５およびクッション部９２−１乃至９２−５は、それぞれ、緩衝部材の一例であり、フィルム８１に配置されている。クッション部９１−１乃至９１−５およびクッション部９２−１乃至９２−５は、それぞれ、果実１２に加わる力を吸収し分散するゲル３１を含んでなる。
【００７９】
図９に示されるように、クッション部９１−１乃至９１−５およびクッション部９２−１乃至９２−５は、それぞれ、等脚台形に形成されている。クッション部９１−１乃至９１−５の形状は、同じである。また、クッション部９２−１乃至９２−５の形状は、同じである。
【００８０】
それぞれ等脚台形のクッション部９１−１乃至９１−５の上底の中点と下底の中点とが軸Ａ６Ａ６’乃至軸Ｅ６Ｅ６’上に位置し、それぞれ等脚台形のクッション部６１−１乃至６１−５の上底（より短い底辺）が点Ｏ側に位置するように等脚台形のクッション部９１−１乃至９１−５は、フィルム８１上に放射状に配置されている。すなわち、クッション部９１−１乃至９１−５は、点Ｏを中心に放射状に３６０度を等分する角度で配置されている。
【００８１】
このように、クッション部９１−１乃至９１−５は、台形の形状とされ、軸Ａ６Ａ６’乃至軸Ｅ６Ｅ６’が放射状となる中心の側においてクッション部９１−１乃至９１−５の幅がより狭く、中心から離れるに従ってクッション部９１−１乃至９１−５の幅がより広くなるようにすることができる。このようにすることで、クッション部９１−１乃至９１−５の配置の放射状の中心である点Ｏを下にして、包装材１１で果実１２を包むと、果実１２に接するクッション部９１−１乃至９１−５の面をより広くすることができ、より強い力をより確実に吸収して、輸送される果実１２をより確実に保護することができる。
【００８２】
また、それぞれ等脚台形のクッション部９２−１乃至９２−５の上底の中点と下底の中点とが軸Ａ６Ａ６’乃至軸Ｅ６Ｅ６’上に位置し、それぞれ等脚台形のクッション部６１−１乃至６１−５の下底（より長い底辺）が、クッション部９１−１乃至９１−５の下底に向き合うように等脚台形のクッション部９２−１乃至９２−５は、フィルム８１上に放射状に配置されている。すなわち、クッション部９２−１乃至９２−５は、点Ｏを中心に放射状に３６０度を等分する角度で配置されている。
【００８３】
以上のように、包装材１１は、薄膜状に形成され、折り曲げ自在の基材の一例であるフィルム２１と、果実１２に加わる力を吸収し分散するゲル３１を含んでなる緩衝部材の一例であるクッション部２２−１乃至２２−８とを備え、クッション部２２−１乃至２２−８は、所定の軸Ａ１Ａ１’乃至軸Ｄ１Ｄ１’に直交する線の方向の幅より軸Ａ１Ａ１’乃至軸Ｄ１Ｄ１’の方向の長さがより長い形状とされ、軸Ａ１Ａ１’乃至軸Ｄ１Ｄ１’が放射状となるように複数のクッション部２２−１乃至２２−８がフィルム２１に配置されている。
【００８４】
クッション部２２−１乃至２２−８の配置の放射状の中心である点Ｏを下にして、包装材１１で果実１２を包むと、クッション部２２−１乃至２２−８が放射状に配置されているので、より容易に果実１２を包装できる。また、ゲル３１を含んでなるクッション部２２−１乃至２２−８が、果実１２の表面の全方位に配置されることになり、果実１２にいずれの方向から加わった力を確実に吸収することができる。従って、輸送される果実１２をより確実に保護することができる。また、クッション部２２−１乃至２２−８が、力を吸収し分散するゲル３１を含んでなるので、飛行機を利用した輸送において、気圧が変化しても、吸収できる衝撃の範囲が変化してしまうことはなく、輸送される果実１２をより確実に保護することができる。
【００８５】
なお、放射状とは、四方に開くように配置されていることを意味し、厳密に点Ｏに軸が交わらない場合も含み、また、等角に配置されていなくとも良い。また、１つの包装材１１に、中心Ｏから５から８の数に分かれるように緩衝部材を設けることができる。
【００８６】
なお、基材の一例として、フィルム２１またはフィルム８１をあげたが、これに限らず、基材として、複数の材質のフィルムを積層してなる積層フィルム、不織布、織布、紙、多孔質体、ネット、またはシートなどを採用することができる。
【００８７】
また、包装材１１は、柔軟果実の包装に特に適しているが、林檎、柿、梨、キウイフルーツ、サクランボ、葡萄、枇杷、メロン、蜜柑、ハッサク、イヨカン、ネーブル、オレンジ、グレープフルーツ、スイカなどの果実１２の包装に用いることもできる。
【００８８】
なお、本考案の実施の形態は、上述した実施の形態に限定されるものではなく、本考案の要旨を逸脱しない範囲において種々の変更が可能である。
【符号の説明】
【００８９】
１１  包装材，  ２１  フィルム，  ２２−１乃至２２−８  クッション部，  ３１  ゲル，  ４１−１乃至４１−８，４２−１−１乃至４２−８−３，５１−１乃至５１−８，６１−１乃至６１−５，７１−１乃至７１−８および７２−１乃至７２−８，並びに９１−１乃至９１−５および９２−１乃至９２−５  クッション部
【図１】
0003188580.tif 000003
【図２】
0003188580.tif 000004
【図３】
0003188580.tif 000005
【図４】
0003188580.tif 000006
【図５】
0003188580.tif 000007
【図６】
0003188580.tif 000008
【図７】
0003188580.tif 000009
【図８】
0003188580.tif 000010
【図９】
0003188580.tif 000011